(57)【要約】【課題】周辺光量低下の補正量を容易に認識できるようにする。【解決手段】撮像素子１０４から出力された撮像信号は、カメラ信号処理回路１０５に入力され、ビデオ信号に変換される。このビデオ信号は、レコーダ１０８に記録される画像サイズより広い領域からなる。カメラ信号処理回路１０５で得られたビデオ信号は、周辺光量補正回路１０６に入力され、周辺光量低下が補正される。周辺光量補正回路１０６で周辺光量低下が補正されたビデオ信号は、トリミング回路１０７に入力され、その一部が記録領域として切り出され、標準ビデオ信号としてレコーダ１０８に記録される。また、カメラ信号処理回路１０５で得られたビデオ信号と、周辺光量補正回路１０６及びトリミング回路１０７で周辺光量低下が補正されてトリミングされた標準ビデオ信号とは、重畳回路１０９に入力され、電子ファインダ１１０に重畳表示される。【選択図】図１
2015008435.tif 000002
【特許請求の範囲】
【請求項１】
撮像光学系を介して結像される画像を光電変換する撮像素子と、
前記撮像素子で得られる画像の周辺光量低下を補正する周辺光量補正手段と、
前記周辺光量補正手段で補正した画像の一部の領域をトリミングするトリミング手段と、
前記トリミング手段でトリミングした画像と、前記周辺光量補正手段で補正する前段の画像とを重畳して表示部に表示する重畳手段とを備えたことを特徴とする撮像装置。
【請求項２】
撮像光学系を介して結像される画像を光電変換する撮像素子と、
前記撮像素子で得られる画像の周辺光量低下を補正する周辺光量補正手段と、
前記周辺光量補正手段での補正に用いられる補正データを保有する補正データ保有手段と、
前記補正データ保有手段から得た補正データに基づいて可視的な補正量情報を生成する生成手段と、
前記周辺光量補正手段で補正した画像と、前記生成手段で生成した補正量情報とを重畳して表示部に表示する重畳手段とを備えたことを特徴とする撮像装置。
【請求項３】
前記周辺光量補正手段で補正した画像の一部の領域をトリミングするトリミング手段を備え、
前記重畳手段は、前記トリミング手段でのトリミング領域を示す指標を更に重畳して前記表示部に表示することを特徴とする請求項２に記載の撮像装置。
【請求項４】
前記補正データ保有手段から得た補正データを変更する手段を備えたことを特徴とする請求項２又は３に記載の撮像装置。
【請求項５】
前記重畳手段での重畳の割合を可変にしたことを特徴とする請求項１乃至４のいずれか１項に記載の撮像装置。
【請求項６】
撮像光学系を介して結像される画像を光電変換する撮像素子を備えた撮像装置の制御方法であって、
前記撮像素子で得られる画像の周辺光量低下を補正する手順と、
前記周辺光量低下を補正した画像の一部の領域をトリミングする手順と、
前記トリミングした画像と、前記周辺光量低下を補正する前段の画像とを重畳して表示部に表示する手順を有することを特徴とする撮像装置の制御方法。
【請求項７】
撮像光学系を介して結像される画像を光電変換する撮像素子を備えた撮像装置の制御方法であって、
補正データ保有手段が保有する補正データを用いて、前記撮像素子で得られる画像の周辺光量低下を補正する手順と、
前記補正データ保有手段から得た補正データに基づいて可視的な補正量情報を生成する手順と、
前記周辺光量低下を補正した画像と、前記生成した補正量情報とを重畳して表示部に表示する手順とを有することを特徴とする撮像装置の制御方法。
【請求項８】
撮像光学系を介して結像される画像を光電変換する撮像素子を備えた撮像装置を制御するためのプログラムであって、
前記撮像素子で得られる画像の周辺光量低下を補正する処理と、
前記周辺光量低下を補正した画像の一部の領域をトリミングする処理と、
前記トリミングした画像と、前記周辺光量低下を補正する前段の画像とを重畳して表示部に表示する処理とをコンピュータに実行させるためのプログラム。
【請求項９】
撮像光学系を介して結像される画像を光電変換する撮像素子を備えた撮像装置を制御するためのプログラムであって、
補正データ保有手段が保有する補正データを用いて、前記撮像素子で得られる画像の周辺光量低下を補正する処理と、
前記補正データ保有手段から得た補正データに基づいて可視的な補正量情報を生成する処理と、
前記周辺光量低下を補正した画像と、前記生成した補正量情報とを重畳して表示部に表示する処理とをコンピュータに実行させるためのプログラム。
【発明の詳細な説明】
【技術分野】
【０００１】
本発明は、周辺光量低下を補正する機能を有する撮像装置、その制御方法及びプログラムに関する。
【背景技術】
【０００２】
従来の技術として、例えば特許文献１には、撮像素子における露光量を演算し、露光量に基づいて、撮影で用いる絞り値に応じた撮影レンズの周辺の光量低下を表す光量データを作成し、撮影レンズの周辺の光量低下の様子をシミュレートして画像表示部に表示する撮像装置が開示されている。
特許文献１の提案では、開放絞り測光を前提としており、静止画撮像装置に有効である。
【０００３】
一方で、近年の撮像装置においては、光学的な周辺光量低下を電気的に補正する機器が多く提案されており、周辺光量低下自体は電気的に補正を行うことにより目立ちにくくなっている。
また、撮像画の品質が求められる映画等の撮影カメラにおいて、記録画角より広い撮像エリアを備える撮像素子を用い、撮影時に記録画角外の画像も視認できる撮像装置が提案されている。このような撮像装置においても、記録画角内に生じる周辺光量低下を補正する補正回路を搭載することにより、周辺光量低下を軽減することが容易に考えられる。
【先行技術文献】
【特許文献】
【０００４】
【特許文献１】特開２００９−１８２７８７号公報
【発明の概要】
【発明が解決しようとする課題】
【０００５】
しかしながら、光学的な周辺光量低下を補正回路により電気的に補正することにより、周辺光量低下自体は目立ちにくくなるが、その反面、補正回路による補正によって生じる画像ノイズの悪化が無視できなくなる。
補正回路は、光軸中心に対して同心円状に周辺光量が低下する光学特性を補正すべく、撮像画に光軸中心からの距離に応じた補正のための増幅率を乗じることにより周辺光量低下を打ち消す。その結果、周辺光量低下が大きい領域については補正のための増幅率が大きくなり、映像信号レベルは補正できる反面、映像信号に含まれるノイズレベルが増加することとなる。
このような撮像画のノイズは、撮影時に用いる電子ファインダのような小型モニタでは認識しづらく、撮影後に大きなモニタで撮像画を確認して初めて気がつくことが多い。撮像画のノイズレベルを撮影前に大きなモニタのあるスタジオ等で事前に確認するにしても、周辺光量低下の撮像画に対する影響は、レンズの焦点距離、合焦位置、絞り値、被写体の明るさ等の被写体条件に左右されるため、実際の撮影条件を想定した画像への影響を事前に確認することは困難である。
【０００６】
本発明は上記のような点に鑑みてなされたものであり、周辺光量低下の補正量を容易に認識できるようにすることを目的とする。
【課題を解決するための手段】
【０００７】
本発明の撮像装置は、撮像光学系を介して結像される画像を光電変換する撮像素子と、前記撮像素子で得られる画像の周辺光量低下を補正する周辺光量補正手段と、前記周辺光量補正手段で補正した画像の一部の領域をトリミングするトリミング手段と、前記トリミング手段でトリミングした画像と、前記周辺光量補正手段で補正する前段の画像とを重畳して表示部に表示する重畳手段とを備えたことを特徴とする。
【発明の効果】
【０００８】
本発明によれば、周辺光量低下の補正量を容易に認識することができる。これにより、周辺光量低下の補正より撮像画に与えるノイズレベル増加の影響を推測することができる。
【図面の簡単な説明】
【０００９】
【図１】第１の実施形態に係る撮像装置の構成を示すブロック図である。
【図２】第１の実施形態に係る撮像装置のファインダ画像を示す図である。
【図３】周辺光量低下を説明するための特性図である。
【図４】周辺光量低下を補正するための補正係数を説明するための特性図である。
【図５】焦点距離変化に伴う周辺光量低下を説明するための特性図である。
【図６】第２の実施形態に係る撮像装置の構成を示すブロック図である。
【図７】補正量表示信号を説明するための特性図である。
【図８】第２の実施形態に係る撮像装置のファインダ画像を示す図である。
【図９】第３の実施形態に係る撮像装置の構成を示すブロック図である。
【発明を実施するための形態】
【００１０】
以下、添付図面を参照して、本発明の好適な実施形態について説明する。
＜第１の実施形態＞
図１は、第１の実施形態に係る撮像装置の構成を示すブロック図である。
１０１及び１０２は撮像光学系を構成するレンズである。レンズ１０１は光軸方向に可動なズームレンズであり、その移動に伴い焦点距離が変化し撮像画が変倍する。また、レンズ１０２は光軸方向に可動なフォーカスレンズであり、その移動に伴い撮像面の合焦位置が変化する。
１０３は入射光量を調整するための絞りである。絞り１０３は、光学系の開口面積が可変であり、開口面積を変化させることにより撮像素子１０４への入射光量が変化する。
１０４はＣＭＯＳセンサ等の撮像素子であり、レンズ１０１及び１０２で結像される画像を光電変換する。
【００１１】
１０５はカメラ信号処理回路であり、撮像素子１０４で光電変換された撮像信号を例えばビデオ信号等に変換処理する。
１０６は周辺光量補正回路であり、補正データテーブル１１５から得られる周辺光量低下を補正するための補正データを用いて、カメラ信号処理回路１０５で得られたビデオ信号の周辺光量低下を補正する。
１０７はトリミング回路であり、周辺光量補正回路１０６で周辺光量低下が補正されたビデオ信号のうち記録領域を選択抽出し、標準ビデオ信号に変換する。
１０８は画像メモリ等で構成されたレコーダであり、トリミング回路１０７で得られた標準ビデオ信号を記録する。
【００１２】
１０９は映像を重畳する重畳回路であり、カメラ信号処理回路１０５で得られたビデオ信号と、周辺光量補正回路１０６及びトリミング回路１０７で周辺光量低下が補正されてトリミングされた標準ビデオ信号とが入力される。重畳回路１０９は、これらビデオ信号と標準ビデオ信号とを重畳して、モニタ用ビデオ信号として出力する。
１１０は表示部である電子ファインダであり、モニタ用ビデオ信号をファインダ画像として表示する。
この構成により、撮像された画像を標準ビデオ信号としてレコーダ１０８に記録するとともに、モニタ用ビデオ信号を電子ファインダ１１０に表示することができる。
【００１３】
１１２はズームエンコーダであり、ズームレンズ１０１の焦点距離を検出する。１１４はフォーカスエンコーダであり、フォーカスレンズ１０２の合焦位置を検出する。１１３は絞りエンコーダであり、絞り１０３の開口面積、すなわち絞り値を検出する。
１１５は補正データ保有手段である補正データテーブルであり、変更可能な光学パラメータである焦点距離、合焦位置、絞り量を入力パラメータとし、その光学パラメータの組み合わせにより生じる周辺光量低下を補正するための補正データを予め保有する。
【００１４】
このようにした第１の実施形態に係る撮像装置において、撮像光学系を通じて撮像素子１０４に結像した被写体象は、撮像素子１０４で光電変換され、撮像信号として出力される。
撮像素子１０４から出力された撮像信号は、カメラ信号処理回路１０５に入力され、ビデオ信号に変換される。撮像素子１０４はレコーダ１０８に記録される画角より広い画角を備えており、具体的には記録領域に対して余剰の画素を記録領域の周囲に備える。したがって、カメラ信号処理回路１０５で得られるビデオ信号は、レコーダ１０８に記録される画像サイズより広い領域からなる。
カメラ信号処理回路１０５で得られたビデオ信号は、周辺光量補正回路１０６に入力され、周辺光量低下が補正される。この周辺光量低下の補正については後述する。
周辺光量補正回路１０６で周辺光量低下が補正されたビデオ信号は、トリミング回路１０７に入力され、画像の縮尺を変更することなくビデオ信号の一部が記録領域として切り出され、標準ビデオ信号としてレコーダ１０８に記録される。レコーダ１０８に記録される記録領域の選択は、撮像画の中心を基準とし、水平方向、垂直方向の領域を対象として記録可能サイズ内に画像を切り出す。
また、カメラ信号処理回路１０５で得られたビデオ信号と、周辺光量補正回路１０６及びトリミング回路１０７で周辺光量低下が補正されてトリミングされた標準ビデオ信号とは、重畳回路１０９に入力され、重畳される。
【００１５】
図２を参照して、重畳回路１０９での具体的な重畳方式について説明する。図２は、ファインダ画像を示す図である。
２０１はカメラ信号処理回路１０５で得られたビデオ信号の画角領域である。また、２０２はトリミング回路１０７で得られた標準ビデオ信号の画角領域である。ビデオ信号の画角領域２０１と標準ビデオ信号の画角領域２０２とは、撮像画の中心が重なり合うように重畳され、結果として図２に示すようなビデオ信号が得られる。図２では、ビデオ信号の画角領域２０１の中心に標準ビデオ信号の画角領域２０２を重畳率０：１（ビデオ信号の重畳割合を０％とし、標準ビデオ信号の重畳割合を１００％する）で重畳した例を示している。
【００１６】
標準ビデオ信号の画角領域２０２は、周辺光量補正回路１０６で周辺光量低下が補正されている。一方、標準ビデオ信号の画角領域２０２外の領域、すなわちビデオ信号の画角領域２０１は、周辺光量低下が補正されていないため、周辺光量低下がみられる。電子ファインダ１１０には図２に示すファインダ画像が映し出されており、撮影者はレコーダ１０８に記録される記録領域に相当する標準ビデオ信号の画角領域２０２を確認できるとともに、記録領域外の周辺光量低下が生じている映像としてビデオ信号の画角領域２０１を確認できる。これにより、撮影者は、標準ビデオ信号の画角領域２０２における周辺光量低下の補正量を容易に認識することができる。
なお、本実施形態では、ビデオ信号の画角領域２０１の中心に標準ビデオ信号の画角領域２０２を重畳率０：１（ビデオ信号の重畳割合を０％とし、標準ビデオ信号の重畳割合を１００％する）で重畳した例を説明したが、この重畳率は、撮影者が認識しやすいように可変としても良い。
【００１７】
図３を参照して、周辺光量補正回路１０６による周辺光量低下の補正について説明する。
図３の下には、撮像素子１０４の中心、すなわち光軸中心からの撮像面上の距離（横軸）と、周辺光量の割合（縦軸）との関係を示す。縦軸は、入射光量を１００％としたときの撮像素子１０４の撮像面上に透過する透過光量の割合を示している。特性線５０１、５０３は、周辺光量低下の特性を示す。特性線５０１、５０３からもわかるように、撮像素子１０４の撮像面上の中心から周辺に向かうにつれ周辺光量低下は一般に大きくなり、光学パラメータである焦点距離、合焦位置、絞り量によりその特性は変化する。
【００１８】
図３の上には、撮像素子１０４の撮像面上の透過光量分布を示す。５２１は撮像素子１０４の光電変換可能な撮像エリアであり、先に説明したビデオ信号が得られる領域となる。５１１〜５１５は特性線５０１の透過光量の各ポイントを示した透過光量の等高線である。これら透過光量の等高線５１１〜５１５からもわかるように、周辺光量低下の特性は一般的に光軸中心からの距離により一意的に決まり、先に述べたように光学パラメータの変化により、その特性も変化する。
【００１９】
周辺光量低下を補正するには、ビデオ信号に周辺光量低下の特性線５０１と逆の増幅特性を持った補正係数（増幅率）を乗じる。これにより、ビデオ信号の各領域における輝度を平坦に補正することができる。周辺光量補正回路１０６は、カメラ信号処理回路１０５で得られたビデオ信号と、補正データテーブル１１５から得られる補正係数とを乗じることにより、ビデオ信号の輝度を平坦に補正する。
【００２０】
図４を参照して、周辺光量低下を補正するための補正係数について説明する。
図４には、撮像素子１０４の中心、すなわち光軸中心からの撮像面上の距離（横軸）と、周辺光量低下の補正量［％］（縦軸）との関係を示す。特性線５３１で表わされる補正量を、撮像素子１０４の撮像面中心からの距離に応じてビデオ信号に乗じることにより透過光量が一定相当のビデオ信号に補正することができる。すなわち、特性線５３１で表わされる補正量が、周辺光量低下を補正するための補正係数となる。
特性線５３１で表わされる補正量を周辺光量低下が生じているビデオ信号に乗じると、図３の特性線５０２に示すように、略一定の透過光量が撮像素子１０４に入射された相当の補正されたビデオ信号を得ることができる。
【００２１】
補正データテーブル１１５は、例えばカメラ信号処理回路１０５で処理される水平ライン信号毎に補正係数を保有する。周辺光量補正回路１０６は、入力される各水平ライン信号に同期した補正係数を補正データテーブル１１５より参照し、ビデオ信号に乗じることにより周辺光量低下を補正する。
補正データテーブル１１５が保有する補正係数は、ビデオ信号の水平ライン信号毎に異なる。これは、水平ライン信号毎に撮像素子１０４に入射する透過光量が異なるためであり、例えば図３の５２３に示す撮像素子１０４上部の１水平ライン信号においては、その透過光量は特性線５０３のような特性となる。
よって、補正データテーブル１１５が保有する同水平ライン信号の補正係数も、透過光量（特性線５０３）の特性を相殺し、周辺光量補正回路１０６による補正の結果、特性線５０２に示す透過光量が撮像素子１０４に入射された相当の補正されたビデオ信号が得られる補正係数であれば良い。
【００２２】
また、撮像素子１０４に結像する透過光量は、光学パラメータの変化によりその特性も変化する。図５には、撮像素子１０４の中心、すなわち光軸中心からの撮像面上の距離（横軸）と、周辺光量の割合（縦軸）との関係を示す。縦軸は、入射光量を１００％としたときの撮像素子１０４の撮像面上に透過する透過光量の割合を示している。例えばズームレンズ１０１の焦点距離が短い広角側から、長い望遠側に変化した場合、周辺光量低下の特性は、特性線５４１、５４２、５４３のように変化する。特性線５４１、５４２、５４３は、それぞれ異なった焦点距離における周辺光量低下特性を示し、５４１は焦点距離が短い広角側、５４３は焦点距離の長い望遠側、５４２はその間の焦点距離である。
補正データテーブル１１５は、ズームレンズ１０１の移動に伴う周辺光量を補正するために、すべての焦点距離における補正係数を保有しており、ズームエンコーダ１１２の取りえる値に応じて、参照すべき補正係数を変更する。これにより、ズームレンズ１０１が移動することによる周辺光量変化については、ズームレンズ１０１の移動に追従し補正データテーブル１１５の補正係数を変更することにより常に適切な補正を行うことが可能である。
フォーカスレンズ１０２、絞り１０３についても同様の仕組みを備える。これにより、光学パラメータの変化をフォーカスエンコーダ１１４、絞りエンコーダ１１３で検出し、補正データテーブル１１５にマトリクスに備えている補正係数を選択、参照することにより常に最適な補正が可能である。
【００２３】
以上のように、電子ファインダ１１０のファインダ画像から、撮像画の記録領域における周辺光量低下の補正量（＝増幅率）を容易に認識することができる。これにより、周辺光量低下の補正より撮像画に与えるノイズレベル増加の影響を推測することができる。撮影者は、周辺光量低下の補正によるノイズレベル増加の影響があると判断した場合、光学パラメータを変えることによりその影響軽減を行う、或いは照明の当て方やカメラアングル等の被写体条件を変更することにより、画像劣化の影響を軽減することが可能となる。
【００２４】
＜第２の実施形態＞
第１の実施形態では、周辺光量低下が補正された記録領域の画像と、周辺光量低下が補正される前段の、記録領域より広い領域の画像とを重畳表示するようにした。
それに対して、第２の実施形態では、周辺光量低下が補正された記録領域の画像と、周辺光量低下を補正するための補正データに基づいて生成した可視的な補正量情報とを重畳表示する。
【００２５】
図６は、第２の実施形態に係る撮像装置の構成を示すブロック図である。なお、第１の実施形態に係る撮像装置と同じ構成要素には同一の符号を付し、その説明を省略する。
１２１は重畳信号発生回路であり、補正データテーブル１１５から得られる補正係数に基づいて、撮影者が認識可能な補正量表示信号（可視的な補正量情報）を発生させる。
第２の実施形態では、重畳回路１０９に、周辺光量補正回路１０６で周辺光量低下が補正されたビデオ信号と、重畳信号発生回路１２１で発生させた補正量表示信号とが入力される。重畳回路１０９は、これらビデオ信号と補正量表示信号とを重畳して、モニタ用ビデオ信号として出力する。
また、重畳回路１０９は、トリミング回路１０７から入力されるトリミングの情報に基づいて、トリミング領域（＝画像切り出し領域）を示す枠状の指標を重畳する。
【００２６】
図７を参照して、補正量表示信号について説明する。
図７には、時間（横軸）と、表示信号のレベル（縦軸）との関係を示す。縦軸の表示信号レベルは、例えば単一色信号を重畳することとし、その色の濃さを示す。特性線５４１は、撮像素子１０４の中心を通る１水平ライン信号期間に重畳する補正量表示信号を示す。具体的には、図３の５２２に示すような撮像中心を通る水平映像期間に対して重畳する補正量表示信号である。特性線５４１で表わされる補正量表示信号は、周辺光量低下の補正量が１００％（＝１倍）に当たる横軸中心を０とし、時間軸方向の前後に補正データテーブル１１５が保有する周辺光量低下を補正するための補正係数に相似となるようなレベル変化を持つ。
また、重畳信号発生回路１２１は、すべての水平ライン信号に対しても同様の補正量表示信号を発生する。補正量表示信号は、補正データテーブル１１５が保有する周辺光量低下を補正するための補正データに基づいて、重畳信号発生回路１２１で乗算等の所定の演算を行うことで発生させることができる。代表的な補正量表示信号を５４２〜５４４に示す。
【００２７】
図８を参照して、重畳回路１０９での具体的な重畳方式について説明する。図８は、ファインダ画像を示す図である。
２１１は周辺光量補正回路１０６で周辺光量低下が補正されたビデオ信号の画角領域である。また、２２２はトリミング回路１０７でのトリミング領域を示す指標であり、レコーダ１０８の記録領域でもある。２１２は補正量表示信号による表示であり、例えば周辺光量低下の補正量が大きくなるに従い青色を濃く変化させるものである。
電子ファインダ１１０には図８に示すファインダ画像が映し出されており、撮影者はレコーダ１０８に記録される記録領域に相当するトリミング領域を含めたビデオ信号を確認できるとともに、青色の濃度により周辺光量低下の補正量を容易に認識することができる。
この場合も、ビデオ信号２１１と補正量表示信号２１２との重畳率は、撮影者が認識しやすいように可変としても良い。
【００２８】
以上のように、第１の実施形態と同様、電子ファインダ１１０のファインダ画像から、撮像画の記録領域における周辺光量低下の補正量（＝増幅率）を容易に認識することができる。これにより、周辺光量低下の補正より撮像画に与えるノイズレベル増加の影響を推測することができる。撮影者は、周辺光量低下の補正によるノイズレベル増加の影響があると判断した場合、光学パラメータを変えることによりその影響軽減を行う、或いは照明の当て方やカメラアングル等の被写体条件を変更することにより、画像劣化の影響を軽減することが可能となる。
【００２９】
＜第３の実施形態＞
第３の実施形態では、第２の実施形態に対し、周辺光量低下の補正量の割合を撮影者が調整できる機構を備えることにより、適切な記録画質を得ることを可能とする。
図９は、第３の実施形態に係る撮像装置の構成を示すブロック図である。なお、第２の実施形態に係る撮像装置と同じ構成要素には同一の符号を付し、その説明を省略する。
第３の実施形態は、撮影者が自由に補正データの利得を変更することができる利得可変回路１２２を備えたことが特徴である。
補正データテーブル１１５から得られる補正データは、前述のように光学パラメータに応じた周辺光量低下の補正量である。
利得可変回路１２２は補正データテーブル１１５より出力された補正データの利得（＝減衰率）を任意に変えることにより、周辺光量補正回路１０６の周辺光量低下の補正量を変更することができる。
これに合わせて、重畳信号発生回路１２１に入力される補正データも変わるため、重畳信号発生回路１２１の出力である補正量表示信号の信号レベルも変化する。
【００３０】
（その他の実施形態）
また、本発明は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【符号の説明】
【００３１】
１０１：ズームレンズ、１０２：フォーカスレンズ、１０３：絞り、１０４：撮像素子、１０５：カメラ信号処理回路、１０６：周辺光量補正回路、１０７：トリミング回路、１０８：レコーダ、１０９：重畳回路、１１０：電子ファインダ、１１２：ズームエンコーダ、１１３：絞りエンコーダ、１１４：フォーカスエンコーダ、１１５：補正データテーブル、１２１：重畳信号発生回路、１２２：利得可変回路
【図１】
2015008435.tif 000003
【図２】
2015008435.tif 000004
【図３】
2015008435.tif 000005
【図４】
2015008435.tif 000006
【図５】
2015008435.tif 000007
【図６】
2015008435.tif 000008
【図７】
2015008435.tif 000009
【図８】
2015008435.tif 000010
【図９】
2015008435.tif 000011